(57)【要約】【課題】ランナーユニットで吊持されるパネル対の吊り込み作業が簡単に、しかも一人の作業者で行えるようにして、施工の手間と時間とが省ける折戸の支持装置を提供する。【解決手段】ランナーユニット６が、ランナー本体１０と、ランナー台１１と、ランナー軸１２と、ソケット１３と、ランナー台１１の回転を規制する牽制構造とで構成されている。ソケット１３には、ランナー台１１用の連結凹部６０を設ける。連結凹部６０とランナー台１１との間には、ランナー台１１の横方向への抜け出しを防ぐ第１ロック構造と、ランナー台１１の上向きの抜け出しを防ぐ第２ロック構造とを設ける。牽制構造で回転規制した一対のランナー台１１は、二つ折りにしたパネル対Ｐの対向面で挟み保持し、パネル対Ｐを前後操作してランナー台１１を連結凹部６０へ落とし込み係合する。さらに仮組み状態のパネル対Ｐを押し上げ操作して、ランナー台１１をソケット１３に完全に係合させる。【選択図】図１
2005171713.tif 000002
【特許請求の範囲】
【請求項１】
折り畳み自在なパネル対Ｐを、ガイドレール２で移行案内されるランナーユニット６で吊り下げ支持する形態の折戸用の支持装置であって、
ランナーユニット６が、ガイドレール２で移行案内されるランナー本体１０と、ランナー本体１０に対してランナー軸１２を介して相対回転自在に連結されるランナー台１１と、パネル対Ｐに固定されるソケット１３と、ランナー台１１がランナー軸１２まわりに回転するのを規制する牽制構造とを含み、
ソケット１３には、ランナー台１１を受け入れるための連結凹部６０が、上面および横側面が開口する状態で設けられており、
連結凹部６０とランナー台１１との間に、互いに係合してランナー台１１がソケット１３から横方向へ抜け出るのを防ぐ第１ロック構造と、互いに係合してランナー台１１がソケット１３から上向きに抜け出るのを防ぐ第２ロック構造とが設けられており、
牽制構造で吊り込み姿勢に回転規制した一対のランナー台１１を、二つ折りにしたパネル対Ｐの対向面で挟み保持して、前後方向の第１係合動作、および上下方向の第２係合動作を経てソケット１３をランナー台１１に係合連結することを特徴とする折戸用の支持装置。
【請求項２】
牽制構造が、隣接するランナー台１１の対向面にそれぞれ突設されて、互いに係合できる一対の牽制アーム３９で構成されており、
牽制アーム３９に、互いに相手側の牽制アーム３９と係合して連結状態を保持する弾性係合爪４９と段部５０とが設けてある請求項１記載の折戸用の支持装置。
【請求項３】
牽制構造が、ランナー本体１０とランナー台１１とのいずれか一方に設けた弾性係合片７５と、他方に設けられて弾性係合片７５と係合する係合部７６とを含み、
弾性係合片７５と係合部７６とが係合してランナー台１１を所定の吊り込み姿勢に回転規制できる請求項１記載の折戸用の支持装置。
【請求項４】
第１ロック構造が、連結凹部６０の内面に形成した抜止部６１と、ランナー台１１に設けられて抜止部６１と係脱できるロック爪４０とで構成されており、
第２ロック構造が、連結凹部６０の内面に形成した突起６２と、ランナー台１１に設けられて突起６２と係脱できるロックピース６３とを含んでおり、
ランナー台１１の下半部側にロック爪４０を設け、ランナー台１１の上部にロックピース６３を設けてある請求項１、２、３のいずれかに記載の折戸用の支持装置。
【請求項５】
ランナー台１１をソケット１３に連結した状態において、ロック爪４０の一部と、ロックピース６３の操作片６９とが、それぞれソケット１３の外方に突出しており、
操作片６９と、ロック爪４０をロック解除操作することにより、ランナー台１１をソケット１３から分離できる請求項４記載の折戸用の支持装置。
【請求項６】
折り畳み自在なパネル対Ｐを吊持するランナーユニット６が、ガイドレール２で移行案内されるランナー本体１０と、ランナー本体１０に対してランナー軸１２を介して相対回転自在に連結されるランナー台１１と、パネル対Ｐに固定されるソケット１３と、ランナー台１１がランナー軸１２まわりに回転するのを規制する牽制構造とを含む、折戸の吊り込み方法であって、
二つ折りにした状態におけるパネル対Ｐの対向面のそれぞれにソケット１３を組み付け、ランナー本体１０をガイドレール２に組み込んで、隣接するランナー台１１どうしを牽制構造で所定の吊り込み姿勢において回転規制しておき、
回転規制された一対のランナー台１１を、二つ折りにしたパネル対Ｐの対向面で挟み保持した状態で、パネル対Ｐを前後方向へ移動操作する第１係合動作によって、ランナー台１１をソケット１３の連結凹部６０へ落とし込み係合して、パネル対Ｐとランナー台１１とを仮組みし、
仮組み状態のパネル対Ｐを押し上げ操作する第２係合動作によって、ランナー台１１をソケット１３に完全係合させて、パネル対Ｐをランナー本体１０に吊り込むことを特徴とする折戸の吊り込み方法。
【請求項７】
折り畳み自在なパネル対Ｐを吊持するランナーユニット６が、ガイドレール２で移行案内されるランナー本体１０と、ランナー本体１０に対してランナー軸１２を介して相対回転自在に連結されるランナー台１１と、パネル対Ｐに固定されるソケット１３とを含む、折戸の吊り込み方法であって、
二つ折りにした状態におけるパネル対Ｐの対向面のそれぞれにソケット１３を組み付け、ランナー本体１０をガイドレール２に組み込んで、隣接するランナー台１１どうしを牽制治具で所定の吊り込み姿勢において回転規制しておき、
回転規制された一対のランナー台１１を、二つ折りにしたパネル対Ｐの対向面で挟み保持した状態で、パネル対Ｐを前後方向へ移動操作する第１係合動作によって、ランナー台１１をソケット１３の連結凹部６０へ落とし込み係合して、パネル対Ｐとランナー台１１とを仮組みし、
仮組み状態のパネル対Ｐを押し上げ操作する第２係合動作によって、ランナー台１１をソケット１３に完全係合させて、パネル対Ｐをランナー本体１０に吊り込むことを特徴とする折戸の吊り込み方法。
【発明の詳細な説明】
【技術分野】
【０００１】
本発明は、折り畳み自在なパネル対が吊り下げ支持してある形態の折戸に適用される支持装置と、折戸の吊り込み方法とに関する。代表的な支持装置として吊車型のランナーユニットがある。
【背景技術】
【０００２】
例えば、一対の戸パネルを折り畳み自在に連結してパネル対を構成し、このパネル対を吊車型のランナーユニットで支持する折戸においては、ガイドレールに装填されたランナー本体にパネル対を連結して、折戸の重量をランナー本体で支える。このようにランナー本体で吊持されるパネル対の吊り込み作業においては、パネル対を二つに折り畳んだ状態で支えながら、パネル対を移動自在なランナー本体に連結する必要があり、その作業に多くの手間が掛かるうえ、体力的に大きな作業負担がかかる。
【０００３】
本発明は、上記のような戸パネルの吊り込み作業を簡便化し、作業負担を軽減することを主な目的とするが、同趣旨のランナーユニットは特許文献１に公知である。そこでは、ランナー本体と、ランナー本体に連結されるランナー台と、戸パネルに固定されるソケットとでランナーユニットを構成しており、ランナー台をソケットに係合連結するだけで、パネル対を吊り込むことができる。
【０００４】
【特許文献１】特開２００１−２４１２５６号公報（段落番号００２７、図２）
【発明の開示】
【発明が解決しようとする課題】
【０００５】
上記のように構成したランナーユニットによれば、吊り込み時の作業負担をいくらか軽減できるものの充分ではない。施工時には、二つに折り畳んだパネル対を一人の作業者が抱きかかえるようにして、ふらつかないように支持し、もう一人の作業者が、ランナー台とソケットとの位置を合わせながら係合連結する必要があり、吊り込み作業に複数の作業者を要する。しかも、脚立に登った状態でランナー台とソケットとを連結しなければならず、吊り込み作業に手間と時間が掛かる。因みに、吊り込み作業を一人の作業者のみで行う場合には、ランナー台がランナー軸まわりに遊転するので、ランナー台をソケットに落とし込み装填することが極めて困難となる。
【０００６】
本発明の目的は、パネル対をランナー本体に吊り込む際の作業負担を軽減できるのはもちろん、脚立に登る必要もなく折戸の吊り込み作業を一人の作業者だけで迅速に行え、したがって折戸の施工に要する手間と時間とを大幅に削減して、施工コストを節約できる折戸用の支持装置と、折戸の吊り込み方法を提供することにある。
【課題を解決するための手段】
【０００７】
本発明の支持装置は、折り畳み自在なパネル対Ｐを、ガイドレール２で移行案内されるランナーユニット６で吊り下げ支持する形態の折戸に適用される。そのランナーユニット６は、ガイドレール２で移行案内されるランナー本体１０と、ランナー本体１０に対してランナー軸１２を介して相対回転自在に連結されるランナー台１１と、パネル対Ｐに固定されるソケット１３と、ランナー台１１がランナー軸１２まわりに回転するのを規制する牽制構造とを含む。ソケット１３にはランナー台１１を受け入れるための連結凹部６０が、上面および横側面が開口する状態で設けてある。連結凹部６０とランナー台１１との間には、互いに係合してランナー台１１がソケット１３から横方向へ抜け出るのを防ぐ第１ロック構造と、互いに係合してランナー台１１がソケット１３から上向きに抜け出るのを防ぐ第２ロック構造とを設ける。以て、牽制構造で吊り込み姿勢に回転規制した一対のランナー台１１を、二つ折りにしたパネル対Ｐの対向面で挟み保持して、前後方向の第１係合動作、および上下方向の第２係合動作を経てソケット１３をランナー台１１に係合連結することを特徴とする（請求項１）。
【０００８】
牽制構造は、図１に示すように隣接するランナー台１１の対向面にそれぞれ突設されて、互いに係合できる一対の牽制アーム３９で構成する。その牽制アーム３９には、互いに相手側の牽制アーム３９と係合して連結状態を保持する弾性係合爪４９と段部５０が設けてある（請求項２）。
【０００９】
図１０に示すように牽制構造は、ランナー本体１０とランナー台１１とのいずれか一方に設けた弾性係合片７５と、他方に設けられて弾性係合片７５と係合する係合部７６とで構成できる。その場合には、弾性係合片７５と係合部７６とが係合してランナー台１１を所定の吊り込み姿勢に回転規制できる（請求項３）。
【００１０】
図５において第１ロック構造は、連結凹部６０の内面に形成した抜止部６１と、ランナー台１１に設けられて抜止部６１と係脱できるロック爪４０とで構成する。第２ロック構造は、連結凹部６０の内面に形成した突起６２と、ランナー台１１に設けられて突起６２と係脱できるロックピース６３とを含んでいる。以て、ランナー台１１の下半部側にロック爪４０を設け、ランナー台１１の上部にロックピース６３を設けることができる（請求項４）。
【００１１】
ランナー台１１をソケット１３に連結した状態において、ロック爪４０の一部と、ロックピース６３の操作片６９とは、それぞれソケット１３の外方に突出している。操作片６９と、ロック爪４０をロック解除操作することにより、ランナー台１１をソケット１３から分離できるようにする（請求項５）。
【００１２】
本発明の折戸の吊り込み方法においては、折り畳み自在なパネル対Ｐを吊持するランナーユニット６が、ガイドレール２で移行案内されるランナー本体１０と、ランナー本体１０に対してランナー軸１２を介して相対回転自在に連結されるランナー台１１と、パネル対Ｐに固定されるソケット１３と、ランナー台１１がランナー軸１２まわりに回転するのを規制する牽制構造とを含む。二つ折りにした状態におけるパネル対Ｐの対向面のそれぞれにソケット１３を組み付け、ランナー本体１０をガイドレール２に組み込んで、隣接するランナー台１１どうしを牽制構造で所定の吊り込み姿勢において回転規制しておく。回転規制された一対のランナー台１１を、二つ折りにしたパネル対Ｐの対向面で挟み保持した状態で、パネル対Ｐを前後方向へ移動操作する第１係合動作によって、ランナー台１１をソケット１３の連結凹部６０へ落とし込み係合して、パネル対Ｐとランナー台１１とを仮組みする。仮組み状態のパネル対Ｐを押し上げ操作する第２係合動作によって、ランナー台１１をソケット１３に完全係合させて、パネル対Ｐをランナー本体１０に吊り込むことを特徴とする（請求項６）。
【００１３】
本発明における折戸の別の吊り込み方法においては、折り畳み自在なパネル対Ｐを吊持するランナーユニット６が、ガイドレール２で移行案内されるランナー本体１０と、ランナー本体１０に対してランナー軸１２を介して相対回転自在に連結されるランナー台１１と、パネル対Ｐに固定されるソケット１３とを含む。二つ折りにした状態におけるパネル対Ｐの対向面のそれぞれにソケット１３を組み付け、ランナー本体１０をガイドレール２に組み込んで、隣接するランナー台１１どうしを牽制治具で所定の吊り込み姿勢において回転規制しておく。回転規制された一対のランナー台１１を、二つ折りにしたパネル対Ｐの対向面で挟み保持した状態で、パネル対Ｐを前後方向へ移動操作する第１係合動作によって、ランナー台１１をソケット１３の連結凹部６０へ落とし込み係合して、パネル対Ｐとランナー台１１とを仮組みする。仮組み状態のパネル対Ｐを押し上げ操作する第２係合動作によって、ランナー台１１をソケット１３に完全係合させて、パネル対Ｐをランナー本体１０に吊り込む（請求項７）。
【発明の効果】
【００１４】
本発明では、ガイドレール２側に組まれるランナー本体１０、およびランナー台１１と、パネル対Ｐに固定されるソケット１３と、ランナー台１１の回転を規制する牽制構造などでランナーユニット６を構成し、パネル対Ｐをランナー本体１０に吊り込む際に、一対のランナー台１１を牽制構造で回転規制できるようにした。こうした支持装置によれば、回転規制された一対のランナー台１１を、二つ折りにしたパネル対Ｐの対向面で挟み保持して、前後方向へ操作する第１係合動作によって、ランナー台１１をソケット１３に落とし込み係合して両者１１・１３を仮組みできる。さらに、パネル対Ｐを上方へ押し上げる第２係合動作によって、ランナー台１１とソケット１３とを完全に係合連結して、パネル対Ｐをランナー本体１０に吊り込むことができる。
【００１５】
以上のように、本発明の支持装置においては、隣接するランナー台１１を回転規制し、ランナー台１１がぐらつくのを規制した状態で、ソケット１３とランナー台１１とを仮組みし、さらに仮組みした状態のパネル対Ｐを押し上げ操作して、ソケット１３とランナー台１１とを完全に係合連結するので、従来の支持装置とは異なり、パネル対Ｐの支持、連結部材の位置合わせ、および係合連結に至る一連の吊り込み作業を適確にしかも簡便に行える。なかでも、概ね位置合わせするだけで連結部材どうしを係合連結できるので、吊り込み作業を簡便化できる。必要に応じて、折戸の吊り込み作業を一人の作業者のみで行え、吊り込み作業が迅速化するので、作業負担を著しく軽減でき、全体として折戸の施工に要する手間と時間とを大幅に削減して、施工コストを節約できる。
【００１６】
ソケット１３とランナー台１１とを完全に係合連結した状態においては、第１ロック構造によって、ランナー台１１がソケット１３から横方向へ抜け出るのを防止する。さらに、第２ロック構造によってランナー台１１がソケット１３から上向きに抜け出るのを防止して、連結したランナー台１１を強固に固定保持するので、例えばパネル対Ｐが折り畳まれて、ソケット１３とランナー台１１との連結部分に大きな傾動モーメントが作用するような場合にでも、ソケット１３とランナー台１１とががた付くのを確実に防止して、常に適切な連結状態を維持でき、パネル対Ｐを適切かつ軽快に開閉できる（請求項１）。
【００１７】
隣接するランナー台１１の対向面に突設した一対の牽制アーム３９で牽制構造を構成し、一対の牽制アーム３９が係合することによって、隣接相手の牽制アーム３９の回転を規制するようにした支持装置によれば、ランナー台１１を挟んだ状態でパネル対Ｐを前後操作するときに、牽制アーム３９が戸パネルＰ１・Ｐ２に引き摺られて回転するのを確実に防止できるので、仮組み作業がさらに確実に行える。ランナー台１１を操作して牽制アーム３９を互いに接合するだけの簡単な操作で、ランナー台１１を回転規制でき、しかも吊り込んだパネル対Ｐを展開操作するだけで、弾性係合片４９と段部５０との係合状態を解除できるので、吊り込み前後の補助的な作業を簡略化できる。パネル対Ｐを折り畳んだ状態においては、牽制アーム３９が互いに係合して、隣接するランナー本体１０を拘束しあうので、折り畳んだ状態のパネル対Ｐをガイドレール２に沿って移動操作するとき、隣接するランナー本体１０を、より安定した状態で移行させることができる（請求項２）。
【００１８】
弾性係合片７５と、弾性係合片７５に係合する係合部７６とで牽制構造を構成し、その一方をランナー台１１に、他方をランナー本体１０に設けることにより、ランナー本体１０を利用してランナー台１１の回転を規制できるようにした牽制構造によれば、通常の使用形態において、牽制構造がランナー台１１の外面に大きく突出して、邪魔になるのを解消できる。ランナー台１１をランナー本体１０で直接回転規制するので、上記のように互いに係合する牽制アーム３９を介してランナー台１１を回転規制する場合に比べて、ランナー台１１をより正確な吊り込み姿勢に回転規制できるので、パネル対Ｐの吊り込みがさらに適確に行える。必要に応じて各戸パネルＰ１・Ｐ２を個別に吊り込むこともできる（請求項３）。
【００１９】
ランナー台１１の下半部側に、第１ロック構造のロック爪４０を設け、ランナー台１１の上部に、第２ロック構造のロックピース６３を設けるようにした支持構造によれば、両ロック構造を上下に分散配置されるので、第１係合動作を行って、ランナー台１１とソケット１３とを連結する際に、ランナー台１１の上部に設けた第２ロック構造を誤って作動させることがなく、第１ロック構造と第２ロック構造とのそれぞれを、記載順に適正に切り換え操作できる。ランナー台１１とソケット１３とは、それぞれの高さが概ね合致していれば支障なく仮組みできるので、正確な位置決めが不必要な分だけ、吊り込み作業を容易に行える（請求項４）。
【００２０】
ランナー台１１をソケット１３に連結した状態において、ロック爪４０の一部と、ロックピース６３の操作片６９をそれぞれソケット１３の外方に突出させておき、必要に応じてロックピース６３およびロック爪４０をロック解除操作できるようにした支持装置によれば、ドライバー等を交互に使用する必要もなく、単に操作片６９、ロック爪４０を操作するだけで、ランナー台１１をソケット１３から分離できるので、戸パネルＰ１・Ｐ２の補修や交換などが簡便に行える（請求項５）。
【００２１】
本発明の折戸の吊り込み方法においては、隣接するランナー台１１どうしを牽制構造で所定の吊り込み姿勢に回転規制したうえで、前段の第１係合動作と、後段の第２係合動作を経てパネル対Ｐの吊り込みを行う。このように、隣接するランナー台１１どうしを回転規制しておくと、吊り込み作業時にランナー台１１がランナー軸１２まわりに遊動するのを規制できるので、パネル対Ｐの吊り込みを安定した状態で行える。
【００２２】
第１係合動作においては、回転規制された一対のランナー台１１を、二つ折りにしたパネル対Ｐの対向面で挟み保持したうえで、パネル対Ｐを前後方向へ移動操作して、ランナー台１１をソケット１３の連結凹部６０へ落とし込み係合できるので、一人の作業者のみでパネル対Ｐとランナー台１１とを仮組みできる。二つ折りにしたパネル対Ｐの対向面で、一対のランナー台１１を挟み保持した状態、すなわちランナー台１１とパネル対Ｐとが互いに保持し合う状態で、ランナー台１１を連結凹部６０へ落とし込み係合させるので、仮組み時にパネル対Ｐがふらつくのを防止でき、作業を安定した状態で行える。
【００２３】
第２係合動作においては、仮組みされて、既に位置決めされた状態のパネル対Ｐを押し上げ操作することによって、ランナー台１１をソケット１３に完全係合できるので、一人の作業者のみでパネル対Ｐをランナー本体１０に簡単に吊り込める。したがって、本発明の吊り込み方法によれば、パネル対Ｐを吊り込む際の作業負担を軽減できるのはもちろんのこと、折戸の吊り込み作業を一人の作業者だけで迅速に行え、その分だけ折戸の施工に要する手間と時間とを大幅に削減して施工コストを削減できる（請求項６）。
【００２４】
本発明における折戸の第２の吊り込み方法においては、隣接するランナー台１１どうしを牽制治具で所定の吊り込み姿勢に回転規制したうえで、前段の第１係合動作と、後段の第２係合動作とを経てパネル対Ｐの吊り込みを行う点が、先の吊り込み方法と異なる。このように、牽制治具でランナー台１１を回転規制する吊り込み方法によれば、パネル対Ｐの吊り込みが終了した時点で、牽制治具を取り外して除去できるので、牽制構造をランナーユニット６に設ける場合に比べて構造の無駄がなく、その分だけランナーユニット６のコストを削減できる。ランナーユニット６の外観をシンプルにできる利点もある（請求項７）。
【発明を実施するための最良の形態】
【００２５】
図１ないし図９は本発明に係る折戸用の支持装置の実施例を示す。図２に示す折戸は、左右一対のパネル対Ｐで構成してあり、両パネル対Ｐは、開口枠１の上下に配置したガイドレール２・３で折り畳み開閉自在に案内支持してある。
【００２６】
各パネル対Ｐは２個の戸パネルＰ１・Ｐ２の隣接縁どうしをヒンジ４で連結して構成する。開口中央側に位置する戸パネルＰ２の屈折縁の近傍には、パネル対Ｐを開閉操作する把手５が固定してある。ヒンジ４は、全展開状態と半展開状態とにおいて、パネル対Ｐの展開状態を維持できるクリック機能を備えている。各パネル対Ｐの両側の上面および下面には、それぞれガイドレール２・３で移行案内されるランナーユニット６と振止具７とを装着してある。
【００２７】
振止具７は、ケース１４内に軸１５と、軸１５を押し出し付勢するばね１６とを収容し、軸１５の下端に遊転自在なローラー１７を組み付けて構成する。ローラー１７の回転周面を床面に埋め込んだガイドレール３で案内することにより、戸パネルＰ１・Ｐ２の前後傾動を規制できる。
【００２８】
図３および図４においてランナーユニット６は、ガイドレール２で移行案内されるランナー本体１０と、ランナー本体１０に対してランナー軸１２で相対回転自在に連結されるランナー台１１と、戸パネルＰ１・Ｐ２に固定されるソケット１３と、ランナー台１１がランナー軸１２まわりに回転するのを規制する牽制構造などで構成する。
【００２９】
ランナー本体１０は、プラスチック成形品からなる横長ブロック状のボディ２０と、ボディ２０の前後面の左右に配置されて、ローラー軸２１で遊転自在に軸支した４個のローラー２２と、ボディ２０の内部に組み込んだ吊高さ調整機構などで構成する。
【００３０】
ボディ２０の上面一側には、ガイドレール３の上壁内面に固定したストッパー２３と係合して、ランナー本体１０の移動を規制するストッパー腕２４が一体に形成されている。ストッパー腕２４は自己の弾性によって自由状態に復帰でき、さらにその下側に設けた圧縮コイル形のばね２５によって、上向きに押し上げ付勢されている。ばね２５の付勢力は、調整ねじ２６のねじ込み量を加減することにより調整できる。
【００３１】
吊高さ調整機構は、一方のローラー軸２１で揺動自在に軸支される調整レバー２９と、調整レバー２９に組み付けられるねじ板３０と、ねじ板３０にねじ込まれて、調整レバー２９を揺動操作する調整ねじ３１と、調整ねじ３１を抜け止め保持する止板３２などで構成する。
【００３２】
調整レバー２９の一方のアーム３３は、座金３４を介してランナー軸１２を持ち上げ支持している。したがって、調整ねじ３１を締緩操作して調整レバー２９を上下揺動することにより、ランナーユニット６で支持した戸パネルＰ１・Ｐ２の吊高さを個別に調整できる。ボディ２０内における吊高さ調整機構の占有空間を小さくするために、調整ねじ３１は斜めに傾いた状態で配置されて、回転のみ自在に止板３２で軸支してある。
【００３３】
図５においてランナー台１１は、平面視の外郭線が逆Ｖ字状に形成される嵌合部３７と、嵌合部３７の前面両側に張り出したフランジ３８と、フランジ３８の下部中央に突設される牽制アーム３９と、牽制アーム３９の左右両側に突設されたロック爪４０と、嵌合部３７の下面に突設したピン４１などを一体に形成したプラスチック成形品からなる。
【００３４】
嵌合部３７の後端寄りに設けた上下貫通状の軸受穴に、ランナー軸１２が相対回転自在に軸支されている。嵌合部３７の上部寄りには水平のガイド溝４３を形成し、その両側上部に、後述する突起６２の前後移動を規制する一対の規制片４４が横向きに突設され、規制片４４に隣接して突起６２の上下移動を許す凹部４５が設けられている。ガイド溝４３は嵌合部３７の後部、左右側面、および前面において開口している。
【００３５】
図８に示すように牽制アーム３９の突端には、山形の凹面４７と、隣接相手方の凹面４７に密着接合できる凸面４８とを連続して波状に形成し、凹面４７側の側壁を利用して弾性係合爪４９を設け、凸面４８の外側面に、隣接相手方の弾性係合爪４９を係合するための段部５０が設けてある。牽制アーム３９の下面後端に先のピン４１を突設してある。牽制アーム３９の係合構造は凹面４７と凸面４８とで構成し、その一側に弾性係合爪４９を、他側に段部５０を設けると、ランナー台１１を左右で兼用できる。
【００３６】
図６および図１に示すように、ガイドレール２内で隣接するランナー本体１０のボディ２０どうしが接当する状態において、隣接するランナー台１１の牽制アーム３９は互いに係合しあって、隣接相手のランナー台１１がランナー軸１２まわりに回転するのを防いでおり、これら一対の牽制アーム３９で牽制構造を構成している。このように、牽制構造で隣接するランナー台１１どうしを仮連結し、隣接相手のランナー台１１が回転するのを互いに規制した状態で、パネル対Ｐを吊り込み操作する点に本発明の特徴がある。
【００３７】
ロック爪４０は、ハ字状に配置される左右一対の弾性変形可能な片持ち腕からなり、ロック爪４０の外面の前後中央に三角形状のロック突起５４を備えている。図８に示すように、ロック突起５４が後述する抜止部６１と係合することで、ランナー台１１をロック保持できる。また、ロック爪４０の先端を指先で挟んで、ロック爪４０どうしを接近する向きに弾性変形させることにより、ロック突起５４と抜止部６１との係合状態を解除して、ランナー台１１をロック解除できる。
【００３８】
図５においてソケット１３は、ソケット本体５６と、ソケット本体５６の前周縁に張り出し形成されたフランジ５７とを一体に備えたプラスチック成形品からなる。ソケット本体５６を戸パネルＰ１・Ｐ２の装着凹部に装着したうえで、フランジ５７をビス５８で締結することにより、ソケット１３を戸パネルＰ１・Ｐ２に固定できる。
【００３９】
ソケット本体５６には、前面および上面で開口する連結凹部６０を形成してある。この連結凹部６０に、ランナー台１１の嵌合部３７を係合連結することにより、ランナー台１１とランナー軸１２を介して、パネル対Ｐをランナー本体１０に吊り込むことができる。
【００４０】
連結凹部６０は、その大半を占める主凹部６０ａと、主凹部６０ａの上側に設けられて、第２ロック構造を収容するロック凹部６０ｂとからなる。主凹部６０ａの底面には、ピン４１を受け入れる穴６６が形成されている。ソケット１３に係合連結したランナー台１１が連結凹部６０から抜け出るのを防止するために、主凹部６０ａとランナー台１１との間には、ランナー台１１がソケット１３から横方向へ抜け出るのを防ぐ第１ロック構造を設け、さらにロック凹部６０ｂとランナー台１１との間に、ランナー台１１がソケット１３から上向きに抜け出るのを防ぐ第２ロック構造が設けられている。
【００４１】
第１ロック構造は、主凹部６０ａの前開口縁に沿って形成した抜止部６１と、先のロック爪４０とで構成する。抜止部６１は主凹部６０ａの内面左右の壁を切り欠いて形成してあり、図５および図６に示すように、縦長の切欠開口の前縁壁によって形成してある。抜止部６１を縦長に形成することにより、ロック爪４０と抜止部６１との位置合わせを厳密に行う必要もなく、ロック爪４０を抜止部６１に落とし込み係合させることができる。
【００４２】
第２ロック構造は、ロック凹部６０ｂの内面後部に形成した一対の突起６２と、ランナー台１１で前後スライド自在に支持されて、突起６２と係脱するロックピース６３と、ロックピース６３をロック姿勢に向かって移動付勢する圧縮コイル形のばね６４と、ばね受片６５などで構成されている。
【００４３】
図５においてロックピース６３は、概ね台形状のベース６８と、ベース６８の前面に突設したコ字状の操作片６９と、ベース６８の斜辺部に突設した前後一対のロック突起７０とを一体に形成したプラスチック成形品からなる。ベース６８の中央には、ばね６４を収容するための通口７１が形成されており、その後ろ側にランナー軸１２でガイドされる切欠７２が形成されている。一対の突起６２の上面両隅は斜めに切除して係合案内面としてある。同様に、ロック突起７０の下面後隅は斜めに切除して係合案内面としてある。
【００４４】
ばね６４およびばね受片６５が組み込まれたロックピース６３をガイド溝４３に装填したうえで、ランナー軸１２をランナー台１１に組み付けて、切欠７２をランナー軸１２で受け止め支持することにより（図４参照）、ロックピース６３を抜け外れ不能に保持できる。この組み付け状態において、操作片６９はランナー台１１の前面開口から前方に突出しており、操作片６９をばね６４の付勢力に抗して抜き出し操作すると、それまでロック姿勢になっていたロックピース６３をロック解除位置までスライド変位できる。
【００４５】
以上のように構成した折戸用の支持装置においては、以下の要領でパネル対Ｐをランナー本体１０に吊り込む。戸パネルＰ１・Ｐ２にはソケット１３を予め組み付けておく。ガイドレール２に、各パネル対Ｐに対応して、２個を一組とするランナー本体１０を組み込む。このとき一組のランナー本体１０は、図６に示すようにストッパー腕２４の先端どうしが対向する向きに装填し、隣接するランナー台１１の牽制アーム３９の弾性係合爪４９を相手方の段部５０に係合して、隣接するランナー台１０の回転を互いに規制しておく。
【００４６】
次に、図１（ａ）に示すように、二つ折りにしたパネル対Ｐを抱えあげて、回転規制された一対のランナー台１１を戸パネルＰ１・Ｐ２の対向面で挟み保持する。このとき、嵌合部３７の下半部が連結凹部６０に概ね臨むように、パネル対Ｐの高さを目分量で調整する。
【００４７】
その状態を維持したままで、パネル対Ｐを手前へ引いて図１（ｂ）に示すように、ランナー台１１をソケット１３の連結凹部６０へ落とし込み係合する。この前後方向の第１係合動作によって、ロック突起５４はロック爪４０を弾性変形させながら連結凹部６０の開口縁を乗り越え、図８に示すように抜止部６１に落ち込み係合する。これにより、嵌合部３７が連結凹部６０から抜け出るのを阻止して、パネル対Ｐとランナー台１１との仮組み状態を保持できる。
【００４８】
上記の仮組み状態においては、図９（ａ）に示すように、嵌合部３７の下半部のみが連結凹部６０に嵌り込んでおり、連結凹部６０側の突起６２は、ロックピース６３のロック突起７０の下面に臨んでいる。
【００４９】
この状態でパネル対Ｐを押し上げ操作すると、突起６２がロックピース６３のロック突起７０に接当して、ロック突起７０をばね６４の付勢力に逆いながら押しのけて、図９（ｂ）、および図７に示すように、規制片４４の間の凹部４５に嵌り込む。同時に、ピン４１が穴６６に嵌り込む。さらに、ロックピース６３は、ばね６４で復帰移動操作されてロック姿勢に切り換わり、そのロック突起７０の上面が突起６２の下面で受け止められる。
【００５０】
この状態では、ランナー台１１が連結凹部６０上方へ抜け出る（あるいはソケット１３がランナー台１１から下方へ抜け落ちる）のを阻止できる。このように上下方向の第２係合動作によって、ランナー台１１をソケット１３に完全係合させて、パネル対Ｐをランナー本体１０に吊り込むことができる。
【００５１】
この後に、振止具７のローラー１７をガイドレール３のレール溝に嵌め込む。最後に、図３に示すように、開口側端側の戸パネルＰ１のランナー本体１０をストッパー２３で移動不能に保持する。
【００５２】
ランナー台１１に吊り込んだ後のパネル対Ｐを分離する場合には、任意の展開状態において、ロックピース６３の操作片６９を引っ張り操作することによりロック解除姿勢に切り換えて、前後のロック突起７０を規制片４４の下面下方に位置させる。つまり、ロック突起７０をソケット１３の突起６２の上下移動軌跡の外へ退避させる。
【００５３】
この状態では、戸パネルＰ１（またはＰ２）の重量を支えることができないので、ソケット１３はランナー台１１から下方へ移動して、ロック突起５４が抜止部６１の上端に引っ掛かった仮組み状態に戻る。次に、一対の腕が接近する向きにロック爪４０をつまんで、ロック突起５４と抜止部６１との係合を解除することにより、ソケット１３とランナー台１１との連結を完全に分離できる。
【００５４】
図１０および図１１はランナー本体１０に組込まれる吊高さ調整機構の別の実施例を示す。そこでは、一方のローラー軸２１で揺動自在に軸支される調整レバー２９と、調整レバー２９を揺動操作するねじ板３０と、ねじ板３０にねじ込まれてねじ板３０を上下に移動操作する調整ねじ３１と、調整ねじ３１を抜け止め保持する止板３２などで構成する。プラスチック成形品からなる調整レバー２９の一側には、四角形状のねじ板３０と係合する受溝２９ａが形成してあり、調整レバー２９の他側には、ランナー軸１２に固定した四角形状の座金３４と係合する操作溝２９ｂが形成してある。操作溝２９ｂの下側の溝壁にアーム３３が形成してあり、このアーム３３で座金３４を介してランナー軸１２を持ち上げ支持している。
【００５５】
調整ねじ３１を締緩操作してねじ板３０を昇降操作すると、ねじ板３０の昇降移動分だけ調整レバー２９が上下揺動するので、ランナーユニット６で支持した戸パネルＰ１・Ｐ２の吊高さを個別に調整できる。図１０に示すように、この実施例ではストッパー２３を板ばねで形成している。他は、先の実施例と同じであるので、同じ部材に同じ符号を付してその説明を省略する。以下の実施例においても、同様に扱う。
【００５６】
図１２および図１３は牽制構造の別の実施例を示す。図１２に示すように、牽制アーム３９はランナー台１１とは別の部品として形成してある。ランナー台１１には支持腕５１が突設してあり、支持腕５１に固定したピン５２を牽制アーム３９に形成した長孔５３に係合することにより、牽制アーム３９をランナー台１１に連結している。牽制アーム３９は長孔５３の範囲内で左右スライドできるが、図１２（ａ）に示すように、牽制アーム３９の側端が支持腕５１の基部壁面に接当している状態では、両者３９・５１の摩擦抵抗によって水平の牽制姿勢を維持できる。したがって、先の実施例と同様に、隣接する牽制アーム３９が互いに係合して、隣接相手のランナー台１１が回転するのを互いに規制した状態で、パネル対Ｐを吊り込み操作できる。
【００５７】
ランナー台１１をソケット１３に連結したのち、パネル対Ｐを分離操作すると、図１３（ａ）・（ｂ）に示すように、支持腕５１のみがパネル対Ｐに追随移動し、隣接する牽制アーム３９は依然として連結状態を維持している。ピン５２が長孔５３の端部に接当したのち、パネル対Ｐをさらに分離操作することにより、隣接する牽制アーム３９は分離できる。この状態における牽制アーム３９と支持腕５１との間の摩擦力は充分に小さい。そのため、牽制アーム３９は水平姿勢を維持することができず、図１３（ｃ）に示すようにピン５２まわりに下方揺動して吊り下げ支持される。この状態では、パネル対Ｐを完全に折畳み操作したとしても、牽制アーム３９どうしが係合することはない。なお、ピン５２を牽制アーム３９に固定し、長孔５３を支持腕５１に設けることができる。
【００５８】
図１４は牽制構造の別実施例を示す。そこでは、牽制構造をランナー本体１０とランナー台１１との間に設けて、ランナー台１１がランナー軸１２まわりに回転するのを規制できるようにした。
【００５９】
その牽制構造は、ばね線材で形成した弾性係合片７５と、係合部７６とで構成してあり、弾性係合片７５をランナー台１１に装着し、係合部７６をボディ２０の下面に膨出したボス７７に形成する。弾性係合片７５は、一対の規制腕７８と、Ｕ字状に折り曲げられた取付部７９とを備えており、取付部７９をランナー台１１に形成した装着穴８０に圧嵌装着することにより、ランナー台１１に固定される。係合部７６はボス７７の対向周面に形成した平行な平坦面からなり、一対の規制腕７８を受け止めて、ランナー台１１の回転を規制する。
【００６０】
この別実施例における弾性係合片７５は、ランナー台１１に装着した状態のままで使用できるが、必要があれば、パネル対Ｐを吊り込んだ後、ランナー台１１から取り外して除去できる。
【００６１】
図１５は、隣接するランナーユニット６・６のランナー台１１・１１を、牽制治具で同時に回転規制できるようにした。その牽制治具は、左右一対のコ字状の牽制体８３と、左右の牽制体８３を繋ぐ支持棒８４とからなる、牽制体８３の上下面には、前後方向のリブ８５を形成してあり、これらのリブ８５を、ボディ２０の下面およびランナー台１１の上面にそれぞれ形成した直線状の溝８６・８７に係合させて、ランナー台１１の回転を規制している。牽制治具は、パネル対Ｐを吊り込んだ後ランナー台１１から取り外す。
【００６２】
上記の実施例では、ローラー２２の転動作用で移行するランナー本体１０について説明したが、ランナー本体１０は摺動によって移行し、あるいはボールの転動作用で移行できる構造であってもよい。牽制アーム３９は、ランナー台１１に対して着脱可能に構成することができる、牽制アーム３９の係合構造は、凹面４７と凸面４８以外の係合構造を採用でき、要は互いに係合してランナー軸１２まわりの回転を規制できる構造であればよい。
【図面の簡単な説明】
【００６３】
【図１】パネル対の吊り込み手順を示す平面図
【図２】折戸の正面図
【図３】ランナーユニットの一部破断正面図
【図４】図３におけるＡ−Ａ線断面図
【図５】ランナー台とソケットの斜視図
【図６】ランナーユニットの組み付け形態を示す一部破断正面図
【図７】図３におけるＢ−Ｂ線断面図
【図８】図３におけるＣ−Ｃ線断面図
【図９】第２ロック機構の係合動作を示す縦断側面図
【図１０】吊高さ調整機構の別実施例を示す縦断正面図
【図１１】図１０におけるＤ−Ｄ線断面図
【図１２】牽制構造の別実施例を示す平面図、および要部側面図
【図１３】牽制構造の別実施例を示す平面図、および要部側面図
【図１４】牽制構造のさらに別実施例を示す一部破断正面図
【図１５】牽制治具の別実施例を示す一部破断正面図
【符号の説明】
【００６４】
２  ガイドレール
６  ランナーユニット
１０  ランナー本体
１１  ランナー台
１２  ランナー軸
１３  ソケット
３９  牽制アーム
４０  ロック爪
４９  係合爪
５０  段部
６０  連結凹部
６１  抜止部
６２  突起
６３  ロックピース
６９  操作片
Ｐ  パネル対
【図１】
2005171713.tif 000003
【図２】
2005171713.tif 000004
【図３】
2005171713.tif 000005
【図４】
2005171713.tif 000006
【図５】
2005171713.tif 000007
【図６】
2005171713.tif 000008
【図７】
2005171713.tif 000009
【図８】
2005171713.tif 000010
【図９】
2005171713.tif 000011
【図１０】
2005171713.tif 000012
【図１１】
2005171713.tif 000013
【図１２】
2005171713.tif 000014
【図１３】
2005171713.tif 000015
【図１４】
2005171713.tif 000016
【図１５】
2005171713.tif 000017